(57)【要約】【課題】本発明は、剛性と弾力性を備えた円筒パイプのたわみを利用して、点打撃を線打撃に変え、１回打撃を複数回打撃に変え、叩く位置によって軟、中、硬打撃を打ち分けられるようにした肩たたき器を提供するものである。【解決手段】剛性と弾力性を備えたアクリル円筒パイプの両端に重りをはめ込み、中央部を中空にした肩たたき棒に、衝撃を和らげる円筒パイプスポンジを外周に巻いた肩たたき器で対応した。円筒の外周部分で叩けるようにした肩たたき棒で、一端を握って肩を叩いたとき、円筒のたわみで点打撃を線打撃に変え、たわんだ円筒の反発力で複数打撃に変え、叩く位置によって、打撃強度が変わるようにした肩たたき器に関する物である。【選択図】図２
2006006351.tif 000002
【特許請求の範囲】
【請求項１】
剛性と弾力性を備えた円筒棒又は円筒パイプの両端に重りをはめ込み、たわみやすくした円筒棒の一端を握り、円筒棒の外周で肩を叩いたとき、円筒のたわみが作る円弧で筋肉Ｒに添った線の打撃を加え、円筒の反動による連続打撃を生み出し、打撃位置の違いから生じる反発力の差による軟、中、硬打撃を生み出すようにしたことを特徴とする肩たたき棒。
【請求項２】
肩たたき棒の両端を垂直にカットし、端末のエッジが背中のかゆい所を掻けるようにしたことを特徴とする請求項１の肩たたき棒。
【請求項３】
剛性と弾力性を備えた円筒棒又は円筒パイプの両端に重りをはめ込み、たわみやすくした円筒棒の外周に中空筒状スポンジを装着した肩たたき器の一端を握り、肩たたき器の外周で肩を叩いたとき、円筒のたわみが作る円弧で筋肉Ｒに添った線の打撃を加え、円筒の反動による連続打撃を生み出し、打撃位置の違いから生じる反発力の差による軟、中、硬打撃を生み出すようにしたことを特徴とする肩たたき器。
【請求項４】
剛性と弾力性を備えた円筒棒又は円筒パイプの外周に中空筒状スポンジを装着した肩たたき器の一端を握り、肩たたき器の外周で肩を叩いたとき、円筒のたわみが作る円弧で筋肉Ｒに添った線の打撃を加え、円筒の反動による連続打撃を生み出し、叩く位置の違いから生じる反発力の差による軟、中、硬打撃を生み出すようにしたことを特徴とする肩たたき器。
【発明の詳細な説明】
【技術分野】
【０００１】
本発明は、剛性と弾力性を備えた円筒棒又は円筒パイプのたわみを利用した肩たたき器に関する物である。
【背景技術】
【０００２】
現在使用されている肩たたき器は、取っ手、シャフト、先端打撃部より構成され、取っ手を握り、シャフトの反動で先端打撃部を、肩、首筋に打ち込むものである。打撃強度は、先端打撃部の跳ね方、すなわち打撃部の材質と中空容積で決まり、図６に示す軟質ゴムで空洞の大きいテニスボール（65〜70mm）は、筋肉表面で跳ねさせて、軟らかい打撃を生み出している。この強度分布は、中心から放射状に強度が弱まり、円形に筋肉を叩く。逆に、硬くて小さいゴルフボール（42mm）は、表面で跳ねない分、筋肉に深く食い込む、硬くて強い打撃が得られる。この衝撃速度は、シャフトの弾力性で決まるため、薄板鋼板や樹脂板、竹等の弾力性の良い材料を使っている。
【０００３】
取っ手とシャフトを兼用したものに図８に示す、一定巾の竹板１０の先端にゴルフボール１１を付け、一方の端末を９０度曲げた孫の手１２で背中を掻けるようにしたものがある。取っ手とシャフトが兼用になっているため、グリップ位置をずらすことで、打撃強度を変えるようにしたものである。
【０００４】
筋肉表面で跳ねるのを防いで打撃効果を改善したものに、球面上に円形配列した突起を付けた図９に示す、ラクラクトントン肩たたき器がある。先端打撃部を上下２部品に分け、上部打撃部１５には針形状の突起を、下部打撃部１６にはイボイボ突起を付けた部品を貼りつけ、この先端打撃部にシャフト１３、取っ手１４を付けたものである。この肩たたき器の特徴は、ナイロンシャフトの大きなタワミを利用して、イボイボ突起を筋肉に打ち込み、イボイボ突起の点打撃が指圧効果を、針突起の点打撃が針治療効果を、そして、グリップ握力でイボイボを手の平に押し付け、手のひらマッサージを狙った物である。
【０００５】
同じイボイボ突起を円筒面上に直線配列した図１０に示す、中空ブロー成形品の肩たたき器がある。これは、把持部２０、シャフト部１８、先端打撃部を一体成形し、先端打撃部の円筒面に複数の突起１９を設け、本体端末に注水口を設けたものである。使用時に水を入れ、キャップ２１を閉めて肩を叩く物で、特徴は、円筒上の突起が円筒と共に変形して筋肉に打ち込まれ、線状の点打撃が得られる。水の入れ替えは、運送時の重量軽減で運送費を安くするためである。
【特許文献１】実開平６−４１７２７
【発明の開示】
【発明が解決しようとする課題】
【０００６】
肩凝りは、肩や首筋にある筋肉の血液循環が悪くなり、筋肉が硬直し、神経を刺激するため起ると言われている。肩こりを無くすには、筋肉の形状と構造を知る必要がある。筋肉は、複数の骨格筋が束ねられた紡錘状の形で、骨と骨を結び、手、足、首等を動かすものである。骨格筋は、更に数十本の筋線維からなり、この筋線維の外周に毛細血管と神経が張り付いている。従って、束ねられた骨格筋全体を揉み解さないと、血液循環は良くならない。更に、肩には、首と肩を結ぶ僧帽筋が鎖骨の上に、首筋には、頭と脊椎を結ぶ胸鎖乳突筋を含め、８種類の筋肉と神経が重なり合っている。これら重なり合った筋肉や手足の太い筋肉を揉み解すには、筋肉のＲに添った束全体を、押さえ込むように刺激しないと、筋肉を揉み解すことが出来ない。このためには、筋肉を押さえ込む強い線の打撃を加えながら、瞬時に開放して筋肉を護る、軟らかい打撃が必用である。更に、連続的に打撃が加えられたら、揉み解し効果が更に大きくなる。点打撃は、筋肉に与えるダメージが大きい割りに、周りの筋肉が逃げ、打撃効果が低い。そして、均一に叩くのが難しく、長時間打撃で筋肉を痛め、翌日肩が痛いという逆効果にもなる。
【０００７】
現在使われている肩たたき器の欠陥をまとめると、１つは、肩や首筋は凸Ｒに対し、球状面で叩くため、図６のような中央点打撃になり、筋肉の束をまとめて叩けない。２つは、先端打撃部の球面が大きく、軟材質のため、筋肉の表面で跳ね、入り組んだ奥の筋肉を叩くことが出来ない。３つは、球面上に突起を付けた点打撃は、筋肉全体を均一に叩けないのみならず、強く打つと筋肉を痛める可能性もある。４つは、骨の上にある筋肉や重なり合った部分の筋肉等に合わせた打撃調整が出来ないため、打撃効果が悪いという問題があった。
【課題を解決するための手段】
【０００８】
本発明は、弾力性のある円筒パイプの両端に重りをはめ込み、円筒の外周部分で叩けるようにした肩たたき棒で、一端を握って肩を叩いたとき、円筒のたわみで点打撃を線打撃に変え、たわんだ円筒の反発力で複数打撃に変え、叩く位置によって、打撃強度が変わるようにした肩たたき器に関する物である。
【０００９】
筋肉に食い込む、線の打撃を得るには、図４に示す弾力性と剛性を備えた円筒パイプの端末を握り、中間部で肩を叩けば、中間部がたわんで筋肉のＲに添った線の打撃が得られる。この結果、図７のようにパイプのたわみに添った線で筋肉を押さえ、筋肉を外に逃がさない強い押し込みが、奥の筋肉を刺激し、数十倍の打撃効果を生み出し、入り組んだ神経と筋肉を解してくれる。更に、円筒パイプの直径を18mmにすれば、テニスボールに比べ1/3以下になり、筋肉に食い込む強い打撃が得られる。そして、両端に比重の大きな重りを嵌め込めば、たわみ量も増え、筋肉Ｒに添いやすく、筋肉の束全体を１回の打撃で叩くことが出来る。押し込み量は、重りの重量を変えることで自由に調整出来る。
【００１０】
軟らかい打撃は、円筒パイプがたわんで戻る反発力を利用する。たわみ量は、パイプ径を細くすればするほど、長さを長くすればするほど大きくなり、軟らかい打撃が得られる。従って、パイプ径、長さ、先端重量を調整すれば、筋肉に合致した理想的な肩たたき器を作ることが出来る。この様にして出来た肩たたき器は、パイプの叩く位置によっても打撃強度を変えることが出来る。例えば、図４にのように、打撃強度は全長×質量の応力で叩かれるが、手元のa点ではＡ×質量×弾性係数の反発力で戻されるため最も軟らかい軟打撃が得られ、パイプ中央のb点ではＣ×質量×弾性係数の反発力で戻されるためa点より硬い打撃が、ｃ点では、反発力０のため最も硬い打撃力が加わえられ、図５のような３種類の打撃を使い分けることが出来る。更に、握る位置を端末から中央部にずらすと、先端距離が短くなるため、端末で叩くより硬い打撃が得られる。従って、長めのシャフトで、軟らかい肩たたき棒を作っておけば、軟打撃から硬打撃まで、無段階に打撃強度を選択できる肩たたき棒が出来る。但し、当肩たたき棒は、小径で、線の打撃で、剛性のある材料で叩くため、軽く叩いても通常の数十倍の打撃効果があり、強く叩きすぎたり長く叩きすぎると筋肉痛や炎症を起こす可能性がある。このため図２のようなスポンジパイプを差し込めば、強い衝撃を和らげ、ソフトな打撃で肩を叩くことが出来ると考えた。
【００１１】
入り組んだ筋肉を揉み解すには、複数回の連続打撃が好ましい。同一箇所を減衰打撃で、肩を揉むように筋肉を解してくれる。当肩たたき棒は円筒の中間部で叩くため、押さえ込むように叩くと、戻り打撃が発生し、１回の打撃がだだっ-だだっ-だだっと複数回の打撃に変わり、入り組んだ筋肉や神経を揉み解してくれる。
【００１２】
そして、肩たたき棒は直線のため図４に示す、端末を直角に切れば、パイプコーナーはエッジになり、痒い所を掻く孫の手にもなると考えた。
【発明の効果】
【００１３】
中打撃で首筋を叩くと、複数打撃で頭の芯まで響きわたり、頬まで揺らす心地よい打撃になった。頭を廻すと首筋がボキボキ鳴り、首は左右にクルクル廻って、首筋に痛い所は無い。肩こりが一気に解消するのがわかる。軟打撃で肩を叩くと、筋肉をやさしく押さえ、さざなみ波のような連続打撃が、肩を揉み、骨の部分はゴムマリのように弾んで骨や筋肉を保護する。しかも、叩く時間は、数分間、先端重量を感じながら軽く振り下ろすだけで肩もみ効果が期待できるようになった。そして、ソフトタッチに叩けるので、手足、胸、背中等も叩け、全身の筋肉を解せるようになり、マッサージ変わりに利用出来るようになった。しかも、棒は軽く、数十倍の打撃効果があるため、介護施設や老人ホームで障害をもつ人達が、リハビリマッサージの変わりに利用出来るようになった。そして、肩たたき棒は単なる棒で、肩たたき器にみえないため職場でも家庭でも気楽に使え、若い人からお年寄りまで利用できる有意義なものになった。
【発明を実施するための最良の形態】
【００１４】
部品の選択基準と寸法決定は、以下の判断で決定した。シャフトは、直径10mm以下なら円筒棒を、直径11mm以上なら中空のパイプが好ましい。当肩たたき器は、全身の筋肉を叩くため、出来る限り大きな径で、肩や首の筋肉を保護する最大たわみ量が得られる直径として18mmのパイプにし、肉厚は1mmにした。パイプの材質は、軽くて剛性と弾力性を備えている樹脂のアクリルパイプを使用した。両端の重りは、空洞部分を長くするため、比重が大きく錆びない真鍮棒にし、強く叩いても筋肉を痛めない16gの重りを左右対称に入れ、両端どちらでも握れるようにした。但し、シャフトに弾力性が十分ある場合は、重りを入れる必用はない。そして、パイプの長さは、叩きやすく、最も軟らかい打撃が得られる最大寸法として500mmを選択した。円筒外周に巻くスポンジは、ウレタン低発泡スポンジの場合、中空円筒成形品を使用し、ウレタン高発泡スポンジの場合、10mmスポンジシートの端末を貼りつけ、円筒スポンジのパイプを作った。
【実施例１】
【００１５】
円筒パイプは、市販の外径18mm,内径16mm長さ1000mmのパイプを500mmに切断し、重りは、外径16mm長さ4000mmの真鍮棒を10mmの長さに切断し、パイプ両端に圧入し、パイプ端末がつら位置になるようプラスチックハンマーで叩き込み、両端に16mmの重量部、中央に468mmの中空部からなる図4に示す肩たたき棒を作った。外周にはめ込む低発泡ウレタンスポンジは、市販の外形30mm内径19mm長さ500mmのウレタンスポンジグリップ成形品を購入し、グリップ内をアルコールで湿らせてから差込み、図1に示す全長500mm、外径31mm,重量114gの肩たたき器を作った。使用時は、一方の端末を薬指と小指で軽く握り、先端重量を感じながら、押さえ込むように叩くと、１回打撃で複数回肩を叩いてくれる。そして、打撃の硬さは、図５に示す、軟打撃部の手元で叩くと、肩の表面をやさしく押さえ、あたかもさざ波がうちよせるようなくり返し打撃で、肩を叩いてくれる。中打撃の中央部で叩くと、遠心力の効いた衝撃でリズミカルに跳ね返る打撃で、肩もみ効果を最大限に発揮してくれる。先端で叩くと、筋肉に強く食い込む重い打撃が得られる。この３種類の使い分けは、鎖骨の上にある肩の筋肉や胸の筋肉は軟打撃で、筋肉と神経が入り組んだ首筋は中打撃で、手足やお腹の筋肉は硬打撃が向いている。そして、端末握りで打撃強度が弱い場合は、握る場所を100mmずつ内側へずらせば、20％ずつ打撃強度が強くなる。
【産業上の利用可能性】
【００１６】
肩たたき器が、単なる棒で肩たたき器に見えないため、何処でも置け、いつでも使え、若い人からお年寄りまで利用範囲が広がり、会社の事務所や現場、家庭で利用される。又、マッサージ効果があるため、リハビリマッサージの変わりに介護施設や老人ホームで利用される。
【図面の簡単な説明】
【００１７】
【図１】肩たたき器平面図
【図２】図１のＡ−Ａ断面図
【図３】図１のＢ−Ｂ断面図
【図４】肩たたき棒の断面図
【図５】肩たたき棒打撃部の種類
【図６】点打撃の断面図
【図７】線打撃の断面図
【図８】竹板シャフト肩たたき器の側面図
【図９】ラクラクトントン肩たたき器の側面図
【図１０】ブロー肩たたき器の平面図
【図１１】図１０のＡ−Ａ断面図
【符号の説明】
【００１８】
１  ：アクリルパイプ
２  ：真鍮棒
３  ：中空部
４  ：円筒スポンジ
１０：竹板シャフト
１１：ゴルフボール
１２：竹孫の手
１３：シャフト
１４：取っ手
１５：上部打撃部
１６：下部打撃部
１７：孫の手
１８：筒本体
１９：叩打部
２０：把持部
２１：キャップ
【図１】
2006006351.tif 000003
【図２】
2006006351.tif 000004
【図３】
2006006351.tif 000005
【図４】
2006006351.tif 000006
【図５】
2006006351.tif 000007
【図６】
2006006351.tif 000008
【図７】
2006006351.tif 000009
【図８】
2006006351.tif 000010
【図９】
2006006351.tif 000011
【図１０】
2006006351.tif 000012
【図１１】
2006006351.tif 000013